(57)【要約】【課題】  円滑に摺動でき、引手によってスライドファスナーが取り付けられた生地に引っ掻き傷が付くのを防止できるスライドファスナー用スライダーを提供すること。【解決手段】  スライドファスナー用スライダーは、上翼部と下翼部と、これらの上翼部及び下翼部を連結する案内柱と、引手取付部と、上翼部から上方へ延びている隆起構造とからなるスライダー胴体を有し、当該スライダー胴体の隆起構造は、上翼部と引手取付部との間に垂直に延び、当該隆起構造は、その対向する縦側部において夫々縦溝部を設けており、当該縦縁部は、物品の隣接縁部Ａ，Ｂをガイドするように収容し、隣接縁部Ａ，Ｂを楔状に拡開するようになっているので、円滑に摺動でき、引手によってスライドファスナーが取り付けられた物品の生地に引っ掻き傷が付くのを防止できる。【選択図】図１
2008000613.tif 000002
【特許請求の範囲】
【請求項１】
スライドファスナーＳＦが連結されている物品の隣接する縁部Ａ，Ｂの間において、当該隣接縁部Ａ，Ｂに沿って滑動可能であるスライドファスナー用スライダー（１）であって、当該スライドファスナー用スライダー（１）は、上翼部（３）と下翼部（４）と、これらの上翼部及び下翼部（３，４）を連結する案内柱（５）と、引手取付部（８）と、上翼部（３）から上方へ延びている隆起構造（１０）とからなるスライダー胴体（２）を有するスライドファスナー用スライダーにおいて、当該スライダー胴体（２）の隆起構造（１０）は、上翼部（３）と引手取付部（８）との間に垂直に延び、当該隆起構造（１０）は、その対向する縦側部において夫々縦溝部（１１）を設けており、当該縦縁部（１１）は、物品の隣接縁部Ａ，Ｂをガイドするように収容し、隣接縁部Ａ，Ｂを楔状に拡開するようになっていることを特徴とするスライドファスナー用スライダー。
【請求項２】
スライドファスナーＳＦが連結されている物品の隣接する縁部Ａ，Ｂの間において、当該隣接縁部Ａ，Ｂに沿って滑動可能であるスライドファスナー用スライダー（１）であって、当該スライドファスナー用スライダーは、上翼部（３）と下翼部（４）と、これらの上翼部及び下翼部（３），（４）を連結する案内柱（５）と、引手取付部（８）と、上翼部（３）から上方へ延びている隆起構造（１０）とからなるスライダー胴体（２）を有するスライドファスナー用スライダーにおいて、当該引手取付部（８）は隆起構造（１０）の上面から延出しており、かつ前記隆起部の上面は、物品の隣接縁部Ａ，Ｂよりも高い位置に形成されていることを特徴とする前記スライドファスナー用スライダー。
【請求項３】
前記スライダー胴体（２）の隆起構造（１０）は、平面図で見た場合、実質的に縦方向に長尺の丸みを帯びた三角形状を呈していることを特徴とする請求項１または２に記載されたスライドファスナー用スライダー。
【請求項４】
前記スライダー胴体（２）の隆起構造（１０）は、その全周に沿って溝部（１１）が延びていることを特徴とする請求項１または２に記載されたスライドファスナー用スライダー。
【請求項５】
前記隆起構造（１０）は、上翼部（３）、下翼部（４）及びこれらの両翼部（３，４）を連結する案内柱（５）を含むスライダー胴体（２）の全高以上の高さであることを特徴とする先行する請求項１〜４のいずれか一つに記載されたスライドファスナー用スライダー。
【発明の詳細な説明】
【技術分野】
【０００１】  本発明は、スライドファスナーが装着されている物品の隣接する縁部の間において当該縁部に沿って使用に際して滑動可能となっているスライドファスナー用スライダーに関するものである。更に具体的に言えば、本発明は、上翼部と下翼部と、これらの両翼部を連結している案内柱と、引手取付部と、上翼部から上方へ延びている隆起構造とからなるスライダー胴体を有するスライドファスナー用スライダーに関するものである。
【背景技術】
【０００２】  衣料品の内側ポケットのスリットに装着されるスライドファスナーのこの種のスライダーは、米国特許５９１５６３２号に開示されている。この米国特許に開示されたスライダーは、スライダー胴体の上翼部の引手取付部の前後における当該引手取付部から離れた位置から上方に突出している一対の突起部を有している。
【特許文献１】米国特許５９１５６３２号公報
【発明の開示】
【発明が解決しようとする課題】
【０００３】  しかし、このような構成の従来のスライドファスナー用スライダーにおいては、引手は、これらの突起部と実質的に同一の高さで延びているので、生地の縁部と衝突する虞があり、縁部を引っかいたり損傷したりする虞がある。
そこで、本発明は、上記従来の欠点に鑑み、円滑に摺動することができ、これによって、引手によって当該スライドファスナーが取り付けられた物品の生地に引っ掻き傷がつけられることのないスライドファスナー用スライダーを提供することを目的とする。
【課題を解決するための手段】
【０００４】  前記目的を達成するために、請求項１に記載の発明は、スライドファスナーＳＦが連結されている物品の隣接する縁部Ａ，Ｂの間において、当該隣接縁部Ａ，Ｂに沿って滑動可能であるスライドファスナー用スライダー１であって、当該スライドファスナー用スライダー１は、上翼部３と下翼部４と、これらの上翼部及び下翼部３，４を連結する案内柱５と、引手取付部８と、上翼部３から上方へ延びている隆起構造１０とからなるスライダー胴体２を有するスライドファスナー用スライダーにおいて、当該スライダー胴体２の隆起構造１０は、上翼部３と引手取付部８との間に垂直に延び、当該隆起構造１０は、その対向する縦側部において夫々縦溝部１１を設けており、当該縦溝部１１は、物品の隣接縁部Ａ，Ｂをガイドするように収容し、隣接縁部Ａ，Ｂを楔状に拡開するようになっていることを特徴としている。【０００５】  また、請求項２に記載の発明において、スライドファスナーＳＦが連結されている物品の隣接する縁部Ａ，Ｂの間において、当該隣接縁部Ａ，Ｂに沿って滑動可能であるスライドファスナー用スライダー１であって、当該スライドファスナー用スライダーは、上翼部３と下翼部４と、これらの上翼部及び下翼部３，４を連結する案内柱５と、引手取付部８と、上翼部３から上方へ延びている隆起構造１０とからなるスライダー胴体２を有するスライドファスナー用スライダーにおいて、当該引手取付部８は隆起構造１０の上面から延出しており、かつ前記隆起部の上面は、物品の隣接縁部Ａ，Ｂよりも高い位置に形成されていることを特徴とするものである。【０００６】  また、請求項３に記載の発明において、前記スライダー胴体２の隆起構造１０は、平面図で見た場合、実質的に縦方向に長尺の丸みを帯びた三角形状を呈していることを特徴とするものである。【０００７】  また、請求項４に記載の発明において、前記スライダー胴体２の隆起構造１０は、その全周に沿って縦溝部１１が延びていることを特徴とするものである。【０００８】  また、請求項５に記載の発明において、前記隆起構造１０は、上翼部３、下翼部４及びこれらの両翼部３，４を連結する案内柱５を含むスライダー胴体２の全高以上の高さであることを特徴とするものである。
【発明の効果】
【０００９】  この発明は前記した構成からなるので、以下に説明するような効果を奏することができる。【００１０】  本発明では、スライドファスナーＳＦが連結されている物品の隣接する縁部Ａ，Ｂの間において、当該隣接縁部Ａ，Ｂに沿って滑動可能であるスライドファスナー用スライダー１であって、当該スライドファスナー用スライダー１は、上翼部３と下翼部４と、これらの上翼部及び下翼部３，４を連結する案内柱５と、引手取付部８と、上翼部３から上方へ延びている隆起構造１０とからなるスライダー胴体２を有するスライドファスナー用スライダーにおいて、当該スライダー胴体２の隆起構造１０は、上翼部３と引手取付部８との間に垂直に延び、当該隆起構造１０は、その対向する縦側部において夫々縦溝部１１を設けており、当該縦縁部１１は、物品の隣接縁部Ａ，Ｂをガイドするように収容し、隣接縁部Ａ，Ｂを楔状に拡開するようになっているので、円滑に摺動でき、引手によってスライドファスナーが取り付けられた生地に引っ掻き傷が付くのを防止できる。
【発明を実施するための最良の形態】
【００１１】  本発明において、スライダー胴体２の隆起構造１０は、平面図で見た場合、実質的に縦方向に長尺の丸みを帯びた三角形状を呈していること、及びスライダー胴体２の隆起構造１０は、その全周に沿って縦溝部１１が延びているので、円滑に摺動することができ、当該スライドファスナーが取り付けられた物品の生地に引っ掻き傷がつけられることがない。
【実施例１】
【００１２】  以下、一実施の形態を示す図面に基づいて本発明を詳細に説明する。図１は、本発明によるスライドファスナー用スライダーの斜視図、図２は、図１のスライダーの正面図、図３は、図１のスライダーの平面図である。ここで、スライドファスナー用スライダー１は、例えばアルミニウム合金、亜鉛合金などの金属材料から一体物として作られ、ダイキャスト成形によって製造することができる。なお、前記スライダー１はポリアミイド、ポリプロピレン、ポリアセタール、ポリプチレンテレフタレートなどの熱可塑性樹脂や、耐磨耗性強化材を添加した熱可塑性樹脂などを使って射出成形により製造することもできる。【００１３】  前記スライドファスナー用スライダー１は図２、図４及び図５に示されているように、上翼部３、下翼部４及び当該上翼部と下翼部３，４を連結している案内柱５とを有している。前記上下翼部３，４は、案内柱５が形成されている前端に対し、後端側から略中央位置にかけてそれぞれ左右に上下ガイドフランジ６を有しており、二つのガイドフランジ間にファスナーエレメントをガイドするためのガイドチャネル７を形成している。【００１４】  また、スライダー胴体２には、上翼部３から上方に延びている隆起構造１０を備えており、更に前記隆起構造１０の上面からは、肩持ち状に支持された細長い略Ｃ字状の引手取付部８が形成されている。引手取付部８は、図６において参照符号９で示されているような引手と係合し、当該引手９を保持するために、上翼部３の方向に永久的に折り曲げられた構成になっている。尚、ここでいう引手取付柱８は、上記に限定されず、引手取付部８を収納し保持するスペースが確保された構成であればよく、例えば別途細長い横Ｃ字状に形成されたカバー体として引手取付部を成形し、前記カバー体のＣ字状の凹部に引手を収納した状態で前記隆起構造１０の上面に接着、固着、あるいは係合手段を介して組み付けても良いし、米国特許５９１５６３２号にも見られるように隆起構造１０の上面にＵ状の脚部１０を立設し、その間に形成されている凹部を引手収納部とし、引手またはクランパーを前記引手収納部に配置したのち前記一対の脚部を向かい合うように塑性変形して引手を保持する引手取付部であってもよい。いずれにしても、引手９は、隆起部１０の上面と引手取付部８とによって囲まれた位置に収納される。【００１５】  スライダー胴体２の隆起構造は図３及び図６からわかるように、平面図で見ると、実質的に、前記隆起部１０は、スライドファスナー用スライダー１が移動する方向（縦方向）に長尺の丸みのある三角形を呈している。詳細に説明すれば、スライダー胴体２の上翼部３の上面から垂直に突出形成された隆起部１０は、長手方向に沿った一対の縦側部を有し、前記隆起部１０の中央から長手方向の一端へ向けて前記縦側部同士が近づく方向にテーパ状に形成された先細り形状を呈している。本実施例については、スライダー胴体２の後端側へ向けて前記隆起部１０の幅が斬時減少した先細り形状として説明したが、そのような構成に限定されない。例えば、スライダー胴体２の上端側も先細り形状として形成されていても良い。【００１６】  また、隆起構造１０は、上翼部３と引手取付部８との間に垂直��延びており、その両縦側部においてスライダー移動方向に沿った縦溝部１１を設けている。
尚、前記縦溝部は少なくとも両縦側部に設けられていればよいが、縦溝部１１は、隆起構造１０の全周囲に沿って延びる単一の溝の一部であることが好ましい。【００１７】  図６及び図７において、それ自体公知であるが、例えば織成ストラップのような２本のストリンガー１２を備えたスライドファスナーＳＦが示されている。このストリンガー１２には、それぞれ務歯のような一連の噛合エレメント１３、１４が設けられている。このスライドファスナーＳＦは、他の使用が可能であることは勿論であるが、例えば衣服のポケットなどによく見られるスライドファスナー上面を覆い隠すように延びた端部Ａ、Ｂを有する部分に用いられる。【００１８】  スライドファスナーＳＦのストリンガー１２は、それ自体は公知の方法で例えば、図７に見られるように衣服の端部Ａ、Ｂによって形成される開口部と一対のストリンガーによって形成される開口部とが実質的に同一開口となるように生地の裏地に取り付けられている。前記一対のストリンガー１２は図１から５で説明したスライドファスナー用スライダー１を備えており、前記スライドファスナー用スライダー１はストリンガー１２の噛合エレメント１３、１４の係合・解除を選択して行うようになっている。【００１９】  またスライドファスナー用スライダー１の表側、即ち隆起構造１０が形成された側に衣服の端部Ａ、Ｂがくるように一対のファスナストリンガーに取り付けられ、スライドファスナー用スライダー１の隆起構造１０が物品の縁部Ａ，Ｂの間で係合されている使用状態においては、前記端部Ａ、Ｂがスライダーの隆起構造１０の縦側部に衛接している。なお、このときスライドファスナーＳＦは端部Ａ、Ｂが隆起構造１０の上面よりも低い位置にくるように取り付けられている。【００２０】  上記構成のように本件は、引手９及び引手取付部８は、隣接する縁部Ａ，Ｂの上、つまり隆起部１０の上面から延びているのでスライドファスナー用スライダー１の操作に対しては障害とならない。更に、前記隆起部１０の縦側部には縦溝部１１が端部Ａ、Ｂの長手方向に沿って形成され、当該縁部Ａ，Ｂは縦溝部の中でガイドされながら収容されているので、スライダーによっては、生地を引っかいたり、損傷を与えたりすること無くスムースに摺動することが出来る。更に、図７からわかるように、引手取付部８は隆起構造１０の一対の縦側部よりも内側の位置から上方に突出している。これによって、引手取付部が縁Ａ、Ｂにより当たらないようになるという効果がある。【００２１】  図２、図４及び図５から容易にわかるように、スライダー胴体２の隆起構造１０は、上翼部３と下翼部４とこれらの翼部を連結する案内柱５とを含むスライダー胴体２の全体の高さ以上の高さを有しているのである。【００２２】  上記の発明の詳細な説明は、いろいろな具体的な構造を記載しているが、これらの構造は、発明の範囲を限定するものと解釈すべきではなく、むしろ実施例の例示として解釈すべきである。他の色々な変形例が可能である。
従って、発明の範囲は、発明の詳細な説明に示された実施例によって決められるべきではなく、添付の請求項及びその均等物によって決められるべきである。
【図面の簡単な説明】
【００２３】
【図１】  図１は、本発明によるスライドファスナー用スライダーの斜視図である。
【図２】  図２は、図１のスライドファスナー用スライダーの正面図である。
【図３】  図３は、図１のスライドファスナー用スライダーの平面図である。
【図４】  図４は、当該スライドファスナー用スライダーの裏面図である。
【図５】  図５は、当該スライドファスナー用スライダーの側面図である。
【図６】  図６は、図１のスライドファスナー用スライダーの平面図であって、スライダーがどのように運動するかを示している。
【図７】  図７は、図６のＶＩＩ−ＶＩＩ線に沿って切った断面図である。
【符号の説明】
【００２４】  １      スライドファスナー用スライダー
２      スライダー胴体
３      上翼部
４      下翼部
５      案内柱
６      上下ガイドフランジ
７      ガイドチャネル
８      引手取付部
９      引手
１０      隆起部（構造）
１１      縦溝部
１２      ストリンガー
１３      噛合エレメント
１４      噛合エレメント
【図１】
2008000613.tif 000003
【図２】
2008000613.tif 000004
【図３】
2008000613.tif 000005
【図４】
2008000613.tif 000006
【図５】
2008000613.tif 000007
【図６】
2008000613.tif 000008
【図７】
2008000613.tif 000009